(57)【要約】【課題】ベンド本体のベンド部に形成された掃除口に蓋を取り付けたときに、蓋の栓部の端面がベンド部の内面と連続状になるようにして排水性を損なわないようにする。【解決手段】円弧状に湾曲したベンド部８を有するベンド本体５を備え、前記ベンド部８の側部８ａに掃除口４を形成するとともに、この掃除口４に取付けられる蓋６を備え、前記蓋６は前記掃除口４に嵌る筒状の栓部２２を有し、この栓部２２の端面２２ａは、ベンド部８の内面と連続状となるような曲面形状とされており、前記掃除口４と蓋６の栓部２２との間には、この栓部２２が掃除口４に嵌ったときに蓋６の位置決めをする位置決め手段２９が設けられている。【選択図】図２
2007217895.tif 000002
【特許請求の範囲】
【請求項１】
円弧状に湾曲したベンド部を有するベンド本体を備え、前記ベンド部の側部に掃除口を形成するとともに、この掃除口に取付けられる蓋を備え、
前記蓋は前記掃除口に嵌る筒状の栓部を有し、この栓部の端面は、ベンド部の内面と連続状となるような曲面形状とされており、
前記掃除口と蓋の栓部との間には、この栓部が掃除口に嵌ったときに蓋の位置決めをする位置決め手段が設けられていることを特徴とする排水配管用脚部ベンド。
【請求項２】
前記位置決め手段は、前記掃除口に形成された円弧状内面部および直線状内面部と、前記栓部に形成されていて前記円弧状内面部と対面する円弧状面部および前記直線状内面部と対面する直線状面部とを備えることを特徴とする請求項１に記載の排水配管用脚部ベンド。
【請求項３】
ベンド本体内面側の前記掃除口の縁部と、前記栓部の端部の縁とが面取りされており、
前記栓部の縁の上流側部分が前記掃除口の縁部の上流側部分よりも大きく面取りされるとともに、前記掃除口の縁部の下流側部分が前記栓部の縁の下流側部分よりも大きく面取りされていることを特徴とする請求項１または２に記載の排水配管用脚部ベンド。
【請求項４】
前記掃除口のまわりには、蓋を固定するためのボルトが固定されており、前記蓋は、この蓋自体をベンド本体に固定するためのフランジ部を有しており、このフランジ部には、前記ボルトを挿通する挿通孔が形成されており、前記ボルトを前記挿通孔に挿通することで、蓋をベンド本体側に案内するように構成されていることを特徴とする請求項１から３のいずれか１項に記載の排水配管用脚部ベンド。
【発明の詳細な説明】
【技術分野】
【０００１】
本発明は、建物内の排水配管に用いられる脚部ベンドに関する。
【背景技術】
【０００２】
従来、建築物内の排水配管においては、上下方向の排水立て管から横方向の排水横主管に管路を変更するための継手として脚部ベンドが用いられている。
脚部ベンドには、曲管部（ベンド部）のみから成るもの、あるいは上部に直管部を備えているもの等がある。また、脚部ベンドには、内部につまった異物を除くために掃除口が設置されているものがある。
【０００３】
例えば、特許文献１に記載された脚部ベンドは、その一端部に排水立て管が接続される排水立て管用接続口を有し、その他端部に排水横主管が接続される排水横主管用接続口を有したベンド本体を備えている。
このベンド本体は直管部と円弧状のベンド部とを有しており、このベンド本体の側部に、その管壁を貫通して円形の掃除口が設けられている。この掃除口には蓋が着脱自在に設けられており、この掃除口は、平時は蓋により閉塞され、メンテナンス時に蓋を取りはずして管路内を掃除できるようになっている。
【０００４】
前記蓋は、この蓋自体をベンド本体に固定するためのフランジ部と、円形の掃除口を塞ぐ円筒状の栓部とを有している（特許文献１の図４参照）。
前記栓部はフランジ部から突出して形成されており、この栓部の端面は、この蓋が掃除口に取り付けられたときにベンド本体の側部の内面とほぼ連続状となるような曲面に形成されている。
【特許文献１】特開平１１−１６６２５３号公報
【発明の開示】
【発明が解決しようとする課題】
【０００５】
従来の脚部ベンドでは、ベンド本体の掃除口が円形にされ、この掃除口を塞ぐ蓋の栓部が円筒状に形成されていたため、例えば、蓋が所定の取り付け位置から栓部の筒心まわりに９０°ずれて掃除口に入れられた場合には、栓部の端面の曲面とベンド本体の内面とが合わずに不連続となり、栓部の一部がベンド本体の内面から突出したり、掃除口に凹みができてしまい、排水がスムーズに流れなくなり、脚部ベンドの排水性を損なうおそれがあった。
【０００６】
本発明は、上記の事情に鑑みてなされたものであり、ベンド本体のベンド部に形成された掃除口に蓋を取り付けたときに、蓋の栓部の端面がベンド部の内面と必ず連続状になるようにして、排水性を損なわないようにした脚部ベンドを提供することを目的とする。
【課題を解決するための手段】
【０００７】
本発明は、上記目的を達成するために以下の技術的手段を講じた。
すなわち、本発明に係る排水配管用の脚部ベンドは、円弧状に湾曲したベンド部を有するベンド本体を備え、前記ベンド部の側部に掃除口を形成するとともに、この掃除口に取付けられる蓋を備え、前記蓋は前記掃除口に嵌る筒状の栓部を有し、この栓部の端面は、ベンド部の内面と連続状となるような曲面形状とされており、前記掃除口と蓋の栓部との間には、この栓部が掃除口に嵌ったときに蓋の位置決めをする位置決め手段が設けられていることを特徴とする。
【０００８】
これによれば、蓋が所定の位置からずれて栓部の端面とベンド部の内面とが不連続となるのを防止できる。したがって、蓋の栓部の端面とベンド部の内面は常に連続状となって排水性を損うことなくスムーズに排水できるようになる。
また、前記位置決め手段は、前記掃除口に形成された円弧状内面部および直線状内面部と、前記栓部に形成されていて前記円弧状内面部と対面する円弧状面部および前記直線状内面部と対面する直線状面部とを備えることを特徴とする。
【０００９】
これによれば、掃除口の直線状内面部と蓋の直線状面部が対面することによって、掃除口に対する蓋の位置決めがなされるため、蓋を掃除口に取り付けたときに、蓋の栓部の端面がベンド部の側部の内面と必ず連続状になる。したがって、排水中の固形物がこの栓部突出部分に当たって騒音の原因となったり、掃除口の内面凹部に固形物が溜まることもなく、排水の流れを乱すことなくスムーズに流すことができる。
【００１０】
また、ベンド本体内面側の前記掃除口の縁部と、前記栓部の端部の縁とが面取りされており、前記栓部の縁の上流側部分が前記掃除口の縁部の上流側部分よりも大きく面取りされるとともに、前記掃除口の縁部の下流側部分が前記栓部の縁の下流側部分よりも大きく面取りされていることを特徴とする。
これによれば、掃除口と蓋の栓部の間に隙間ができても、この隙間の上流側の部分よりも、下流側の部分の面取りを大きくすることによって、排水がこの接合部分（隙間）を通過する際に、その流れが乱れる程度を可及的に小さくすることで、よりスムーズに下流側に排出できるようになる。
【００１１】
また、前記掃除口のまわりには、蓋を固定するためのボルトが固定されており、前記蓋は、この蓋自体をベンド本体に固定するためのフランジ部を有しており、このフランジ部には、前記ボルトを挿通する挿通孔が形成されており、前記ボルトを前記挿通孔に挿通することで、蓋をベンド本体側に案内するように構成されていることを特徴とする。
これによれば、蓋を掃除口に案内（ガイド）するようにボルトを利用でき、蓋の取り付けが容易に行えるようになる。
【発明の効果】
【００１２】
本発明によれば、ベンド本体のベンド部に形成された掃除口に蓋を取り付けたときに、蓋の栓部の端面がベンド部の内面と必ず連続状になるようにして排水性を損なわないようにできる。
【発明を実施するための最良の形態】
【００１３】
以下、本発明を実施するための最良の形態を図面を参照しながら説明する。
図１〜図８は、本発明に係る排水配管用脚部ベンド１の第１実施形態を示している。この脚部ベンド１は、例えば高層建築物の排水配管に用いられ、排水立て管２と排水横主管３とを接続して配管路を上下方向（鉛直方向）から横方向に変更するためのものである。
図１〜図３に示すように、脚部ベンド１は、中途部に掃除口４が形成されたベンド本体５と、この掃除口４を塞ぐ蓋６を備えている。このベンド本体５は、円筒状とされており、直管部７とベンド部８を有したいわゆる首長タイプのものである。
【００１４】
図１に示すように、最下階のスラブ９には、上下に貫通する配管用の孔１０が形成されており、脚部ベンド１がこの配管用の孔１０に挿通されている。この孔１０はモルタル等によって埋められており、これによってこの脚部ベンド１の直管部７とベンド部８の一部がこの孔１０内で固定されている。この状態では、脚部ベンド１の直管部７がスラブ９の上面９ａから上方に突出し、ベンド部８がスラブ９の下面９ｂから下方に突出している。
【００１５】
このように、ベンド本体５を直管部７とベンド部８で構成することによって、ベンド部の一部が前記孔１０に入った状態で、固定することができ、これによって、ベンド部をスラブの下面に可及的に近づけて配置することができる。
また、前記直管部７は、床バンド１１を介してスラブ９の上面９ａ側に固定されており、ベンド部８に接続された排水横主管３は、スラブ９の下面９ｂから下方に突出された吊り込みボルトの先端側に設けられた保持バンド１２を介してスラブ９の下面９ｂ側に固定されている。
【００１６】
ベンド本体５の一端部、すなわち直管部７の端部は、排水立て管２を接続する排水立て管用接続口１３となっている。
ベンド部８は、直管部７よりも拡径された管径で形成されており、所定の曲率半径で円弧状に湾曲して形成されている。このベンド部８の端部（ベンド本体５の他端部）は、排水横主管３を接続する排水横主管用接続口１４となっている。
【００１７】
前記掃除口４はベンド本体５のベンド部８の側部８ａに形成されている。ここで、「側部に形成される」とは、平面視（図３参照）において、掃除口４が、ベンド本体５の中心線Ｃから横にずれて位置するように設けられることをいう。図３に示すように、掃除口４は、ベンド部８の両側部８ａ、８ａに設けられている。
この実施形態では、ベンド部８の側部８ａに設けられた掃除口４は、その中心Ｆが、側面視において、ベンド部８の中心線Ｄと一致するように設けられている。
【００１８】
掃除口４は、図３に示すように、ベンド部８の外面から径外方に突出するように形成された筒部１５の内側に形成されている。この掃除口４は、この筒部１５の内面で区切られた空間である。
掃除口４は円弧状内面部１７と直線状内面部１８とを有している。すなわち、筒部１５の内面は、曲面部分と、平坦面部分とからなり、前記円弧状内面部１７とはこの曲面部分をいい、前記直線状内面部１８とは前記平坦面部分をいう。なお、「円弧状」とは、前記曲面部分の縁が図２に示す側面視において円弧状に表されることをいい、前記「直線状」とは、前記平坦面部分の縁が側面視において直線状に表されることをいう。
【００１９】
前記直線状内面部１８は、図１、図２に示すように、側面視においてベンド部８の中心線Ｄよりも上側に形成されている。このようにすることで、前記直線状内面部１８をベンド部８内で空気の流れる通気領域に位置させたり、あるいは、ベンド部８内を流れる比較的流速の小さい排水流が通過する位置に設けることができ、これによって、排水性を損なうことなく排水をスムーズに流すことができる。
【００２０】
また、この直線状内面部１８は、側面視において、所定の傾きで形成されている。
この直線状内面部１８の傾きは、例えば次のように設定される。すなわち、掃除口４の中心Ｆは、上述のようにベンド部８の円弧状の中心線Ｄと一致するように設定されており、この点（中心Ｆ）における中心線Ｄに対する接線と、前記直線状内面部１８とが側面視においてほぼ平行となるように設定されている。
【００２１】
このように直線状内面部１８の傾きを設定することによって、この直線状内面部１８は、ベンド部８内における排水の流れにほぼ沿った向きに形成されることになり、したがって、固形物等が垂直に当たることなく、排水を抵抗なく流すことができる。
掃除口４は、ベンド部８の側部８ａにおいて、排水横主管用接続口１４寄り位置に設けられている。ここで「排水横主管用接続口寄り位置」とは、少なくとも掃除口４の中心Ｆが、ベンド部８の側面視における中心線Ｄに沿う方向において、このベンド部８を二等分する点（以下、二等分点Ｅという）と前記排水横主管用接続口１４の端部との間に位置することをいう。なお、前記「掃除口の中心」とは、図２に示すように、側面視における掃除口４の円弧状内面部１７の円弧部分の曲率中心をいう。
【００２２】
より好ましくは、掃除口４の「排水横主管用接続口寄り位置」は、掃除口４の全体が、側面視におけるベンド部８の円弧状の中心線Ｄの曲率中心Ｇと前記二等分点Ｅとを結ぶ直線Ｘ１と、排水横主管用接続口１４の端部との間に位置するように形成されているのがよい。
このように、掃除口４をベンド部８の排水横主管用接続口１４寄り位置に設けることによって、ピット内等の限られた配管スペース内において、脚部ベンド１を可能な限りスラブ９の下面９ｂに近い位置に設けることにより、脚部ベンド１の下側の空間を有効に活用できる。また、脚部ベンド１をスラブに対し一定の距離で設置する場合においても、この掃除口４を、脚部ベンド１に対してできるだけ下方位置に形成することができることから、例えば、排水横主管３がスラブ６の下面側で配管される場合等に、掃除口４はスラブ９の下面９ｂからできるだけ離れて位置することになるため、配管内の清掃・点検作業を容易に行うことができるようになる。
【００２３】
この掃除口４のまわりには、蓋６をベンド本体５に固定するためのボルト１９が設けられている。このボルト１９は、この筒部１５の筒心方向に沿って、筒部１５の頂面１５ａから突出するように設けられている。このボルト１９は、その一端部がこの筒部１５の頂面１５ａに固定されている。筒部１５には複数（図例では１つの掃除口４のまわりに４本）のボルト１９が設けられている。このボルト１９は蓋６を掃除口４に取り付けるときのガイドピンの役割を果たしており、蓋６を所定の角度で設置する際に手軽に位置決めができる効果を有する。
【００２４】
前記蓋６は、この蓋６自体をベンド本体５に固定するためのフランジ部２１と、この掃除口４に嵌る筒状の栓部２２を有する。
前記フランジ部２１には、前記筒部１５に設けられたボルト１９を挿通する挿通孔２３が形成されている。このフランジ部２１には複数（図例では４つ）の挿通孔２３が形成されている。
【００２５】
蓋６は、栓部２２を掃除口４に挿入し、フランジ部２１の挿通孔２３に掃除口４のまわりに設けられたボルト１９を挿通し、このボルト１９にナット２４を嵌めて締め付けることによって、フランジ部２１が前記筒部１５の頂面１５ａに当接した状態で、ベンド本体５に固定される。なお、フランジ部２１と筒部１５の頂面１５ａとの間にはパッキン２５が設けられている。
【００２６】
上述のように、ボルト１９は筒部１５に固定されているので、蓋６のフランジ部２１の挿通孔２３に容易に挿通することができるため、筒部１５にボルト１９を螺合するねじ孔を形成し、このねじ孔と前記フランジ部２１の挿通孔２３を一致させてボルトにより固定する場合と比べて、容易に蓋６の取り付け・取り外しができるようになる。
前記栓部２２は、その端部が閉塞された筒状に形成されており、フランジ部２１の一端面から突出して形成されている。
【００２７】
この栓部２２の端面２２ａは、蓋６を掃除口４に取り付けたときに、このベンド本体５の内面と連続状となるような曲面形状になっている。ベンド部８は、円筒状で、かつ側面視において円弧状に湾曲して形成されているので、このベンド部８の側部８ａの内面は、ベンド部８の横断面において、その筒心まわりに円弧状に湾曲し（図４参照）、しかも、側面視において円弧状に湾曲した複雑な曲面となっている。
【００２８】
蓋６の栓部２２の端面２２ａは、このようなベンド部８の側部８ａの内面形状と同様に、ベンド部８の筒心まわりの円弧形状と同様な曲面とされ、さらに、この曲面は、側面視におけるベンド部８の円弧状の湾曲に合うように湾曲して形成されている。
すなわち、図８に示すように、ベンド本体５のベンド部８は、円弧状に湾曲されているが、その度合いは、ベンド本体５の中心線Ｄを基準とすると、この湾曲の度合いは、その曲率中心Ｇ側に向かうにつれてその湾曲の曲率半径が徐徐に小さくなり、その反対側に向かうにつれてその湾曲の曲率半径が徐徐大きくなるように設定されており、これに応じてベンド部８の内面は、その湾曲の度合いが直線Ｘ１に沿う方向で徐徐に変化するような形状になっており、蓋６の栓部２２の端面２２ａは、このベンド部８の内面と連続状となるように、ベンド部８の中心線Ｄの曲率中心Ｇと掃除口４の中心Ｆとを結んだ直線Ｘ２に沿う方向でその湾曲の度合いが徐徐に変化するような曲面形状となっている。
【００２９】
蓋６の栓部２２の外周面には、前記掃除口４の円弧状内面部１７と対面する円弧状面部２７と、前記掃除口４の直線状内面部１８と対面する直線状面部２８が形成されている。
ここで、「円弧状」とは、栓部２２の端面２２ａを正面としてみたときに、栓部２２の縁２２ｂの一部が円弧状に表されることをいい、「直線状」とは、栓部２２の縁２２ｂの一部が直線状に表されることをいう。
【００３０】
前記掃除口４と蓋６の栓部２２との間には、この栓部２２が掃除口４に嵌ったときに蓋６の位置決めをする位置決め手段２９が設けられている。この位置決め手段２９は、前記掃除口４に形成された円弧状内面部１７および直線状内面部１８と、前記栓部２２に形成されていて前記円弧状内面部１７と対面する円弧状面部２７および前記直線状内面部１８と対面する直線状面部２８とを備えている。
【００３１】
蓋６をベンド本体５に取り付けた状態では、栓部２２を掃除口４に嵌まり、掃除口４の直線状内面部１８と栓部２２の直線状面部２８との対面によって、栓部２２の位置決めがなされ、蓋６は栓部２２の筒心まわりに回転しないように規制される。この状態で、蓋６をベンド本体５に固定すれば、栓部２２の端面２２ａは必ずベンド本体５内面と連続状となった状態となる。
【００３２】
したがって、栓部２２の端面２２ａとベンド本体５の内面とがずれて栓部２２の端部がベンド本体５の内面から突出したり、掃除口４に凹みができたりすることがなくなり、排水流中の固形物が栓部２２の端部に衝突したり、掃除口４の内面凹部に固形物が溜まったりすることや洗濯泡の発生を防止して排水をスムーズにすることができる。
図５において、ベンド本体５の内面側の掃除口４の縁部４ａはその全周にわたって面取りがなされており、また、前記栓部２２の端部の縁２２ｂもその全周にわたって面取りがなされている。なお、図５に示す矢印は、排水の流れる方向を示している。
【００３３】
図５に示すように、掃除口４の縁部４ａの面取りと、栓部２２の端部の縁２２ｂの面取りとは、その度合いを異ならせている。
すなわち、栓部２２の縁２２ｂの上流側部分３１は、掃除口４の縁部４ａの上流側部分３２よりも大きく面取りされている。また、掃除口４の縁部４ａの下流側部分３４は、栓部２２の縁２２ｂの下流側部分３３よりも大きく面取りされている。
【００３４】
栓部２２が掃除口４に嵌った状態では、この栓部２２と掃除口４との間、換言すれば栓部２２の外周面と、筒部１５の内周面との間には若干の隙間（図５において、上流側の隙間を符号Ｊ、下流側の隙間を符号Ｋで示す）ができるが、この隙間Ｊ、Ｋのそれぞれに対して、その下流側の部分（上流側の隙間Ｊの場合は、栓部２２の上流側部分３１がこれに該当し、下流側の隙間Ｋの場合は、掃除口４の下流側部分３４がこれに該当する）の面取りを、その上流側の部分（上流側の隙間Ｊの場合は、掃除口４の縁部４ａの上流側部分３２がこれに該当し、下流側の隙間Ｋの場合は、栓部２２の縁２２ｂの下流側部分３３がこれに該当する）よりも大きくすることによって、接合部分を排水が通過する場合であっても、隙間に対する下流側の部分が大きく面取りされているので、この排水等が流れを乱されることなくスムーズに流れることになり、また、栓部２２の上流側部分３１や掃除口４の下流側部分３４に排水中の異物が引っ掛からないようにできる。
【００３５】
図９は、本発明に係る脚部ベンド１の第２実施形態を示している。
この第２実施形態では、ベンド本体５の形状が第１実施形態と異なる。すなわち、第１実施形態では、ベンド本体５は直管部７とベンド部８を有していたが、この第２実施形態では、ベンド本体５は、第１実施形態のような直管部７がなく、円弧状に湾曲して形成されたベンド部８のみで構成されている。換言すると、ベンド部８は、ベンド本体５の全長にわたって形成されている。
【００３６】
この脚部ベンド１は、スラブ９を貫通した排水立て管２をベンド本体５の排水立て管用接続口１３に接続し、排水横主管用接続口１４に排水横主管３を接続することによってスラブ９の下側で配管路の方向を変更する。
この第２実施形態に係る脚部ベンド１においても、第１実施形態と同様に、掃除口４は、ベンド部８の側部に形成され、また排水横主管用接続口１４寄り位置に形成されており、第１実施形態と同様の作用効果を奏するものである。なお、第１実施形態と同様の部分には、共通符号を付している。
【００３７】
なお、本発明は上記の実施の形態に限らず、種々の変更・変形が可能である。
例えば、蓋６の位置決め手段２９は、上述した場合に限らず、図１０に示すように、ベンド部８の筒部１５の内面にその筒心方向に沿って形成した凹条部３６と、蓋６の栓部２２の外周面に形成した凸条部３７とで構成し、この凹条部３６と凸条部３７の嵌合によって蓋６の位置決めをするようにできる。また、図１１に示すように、前記凹条部３６を前記栓部２２の外周面にその長手方向に沿って形成し、前記凸条部３７をベンド部８の筒部１５の内周面に形成することによっても蓋６の位置決めが可能である。
【００３８】
図１０および図１１に示すように、掃除口４の周囲の一部に位置決め手段２９を設けるとともにそれに対応する栓部２２にも同じく対応する位置に位置決め手段２９を設けるようにして蓋６の位置決めをすることができる。
【産業上の利用可能性】
【００３９】
本発明は、例えば建築物の排水配管に使用することができる。
【図面の簡単な説明】
【００４０】
【図１】第１実施形態に係る脚部ベンドを用いた配管路の側面図である。
【図２】首長タイプの脚部ベンドの縦断面図である。
【図３】脚部ベンドの平面図である。
【図４】図１のＡ−Ａ矢示線断面図である。
【図５】図１のＢ−Ｂ矢示線一部断面図である。
【図６】蓋の平面図である。
【図７】蓋の側面図である。
【図８】脚部ベンドの縦断面図である。
【図９】第２実施形態に係る脚部ベンドの側面図である。
【図１０】位置決め手段の他の例を示す脚部ベンドの縦断面図である。
【図１１】位置決め手段の他の例を示す脚部ベンドの縦断面図である。
【符号の説明】
【００４１】
１    脚部ベンド
２    排水立て管
３    排水横主管
４    掃除口
４ａ  縁部
５    ベンド本体
６    蓋
８    ベンド部
８ａ  側部
１３    排水立て管用接続口
１４    排水横主管用接続口
１７    円弧状内面部
１８    直線状内面部
１９    ボルト
２１    フランジ部
２２    栓部
２３    挿通孔
２７    円弧状面部
２８    直線状面部
２９    位置決め手段
３１    栓部の縁の上流側部分
３２    掃除口の縁部の上流側部分
３３    栓部の縁の下流側部分
３４    掃除口の縁部の下流側部分
【図１】
2007217895.tif 000003
【図２】
2007217895.tif 000004
【図３】
2007217895.tif 000005
【図４】
2007217895.tif 000006
【図５】
2007217895.tif 000007
【図６】
2007217895.tif 000008
【図７】
2007217895.tif 000009
【図８】
2007217895.tif 000010
【図９】
2007217895.tif 000011
【図１０】
2007217895.tif 000012
【図１１】
2007217895.tif 000013